(57)【要約】      （修正有）【課題】プリアンブルをデコードする受信装置において、デコード結果を保持するバッファのサイズを削減する。【解決手段】受信装置において、保持部は、物理層パイプ識別情報がそれぞれに割り当てられた複数のビットを物理層パイプ有無ビット列として保持する。受信部は、物理層パイプ有無ビット列のビット数を越えない所定数の物理層パイプと所定数の物理層パイプのそれぞれの物理層パイプ識別情報とを受信する。設定部は、物理層パイプ有無ビット列のうち受信された物理層パイプ識別情報に対応するビットの値を２値の一方に設定し、対応しないビットの値を２値の他方に設定する。復号処理部は、一方の値のビットに対応する物理層パイプを復号する処理を行う。【選択図】なし【特許請求の範囲】
【請求項１】
物理層パイプ識別情報がそれぞれに割り当てられた複数のビットを物理層パイプ有無ビット列として保持する保持部と、
前記物理層パイプ有無ビット列のビット数を越えない所定数の物理層パイプと前記所定数の物理層パイプのそれぞれの前記物理層パイプ識別情報とを受信する受信部と、
前記物理層パイプ有無ビット列のうち前記受信された物理層パイプ識別情報に対応するビットの値を２値の一方に設定し、対応しないビットの値を前記２値の他方に設定する設定部と、
前記一方の値のビットに対応する前記物理層パイプを復号する処理を行う復号処理部と
を具備する受信装置。
【請求項２】
前記受信部は、前記所定数の物理層パイプが格納されたサブフレームと前記物理層パイプ識別情報が格納されたプリアンブルとを受信し、
前記物理層パイプ有無ビット列のビット数は、前記サブフレームに格納される前記物理層パイプの最大数である
請求項１記載の受信装置。
【請求項３】
前記保持部は、前記物理層パイプ識別情報がそれぞれに割り当てられた複数のビットをＬＬＳ（Low Level Signaling）有無ビット列としてさらに保持し、
前記受信部は、前記所定数の物理層パイプのそれぞれのＬＬＳフラグをさらに受信し、
前記設定部は、前記ＬＬＳ有無ビット列のうちＬＬＳ情報を含む前記物理層パイプの前記物理層パイプ識別情報に対応するビットの値を２値の一方に設定し、対応しないビットの値を前記２値の他方に設定し、
前記復号処理部は、前記ＬＬＳ有無ビット列内の前記一方の値のビットに対応する前記物理層パイプからＬＬＳ情報を取得する
請求項１記載の受信装置。
【請求項４】
前記保持部は、前記物理層パイプ識別情報がそれぞれに割り当てられた複数のビットを結合有無ビット列としてさらに保持し、
前記受信部は、前記所定数の物理層パイプの結合に関する情報をさらに受信し、
前記設定部は、前記結合有無ビット列のうち結合する前記物理層パイプの前記物理層パイプ識別情報に対応するビットの値を２値の一方に設定し、対応しないビットの値を前記２値の他方に設定し、
前記復号処理部は、前記結合有無ビット列内の前記一方の値のビットに対応する前記物理層パイプを結合する
請求項１記載の受信装置。
【請求項５】
前記保持部は、前記物理層パイプ識別情報がそれぞれに割り当てられた複数のビットを拡張有無ビット列としてさらに保持し、
前記受信部は、ＬＤＭ（Layered Division Multiplexing）に関する情報をさらに受信し、
前記設定部は、前記拡張有無ビット列のうち拡張物理層パイプの前記物理層パイプ識別情報に対応するビットの値を２値の一方に設定し、対応しないビットの値を前記２値の他方に設定し、
前記復号処理部は、前記拡張有無ビット列に基づいてＬＤＭを使用して復号する
請求項１記載の受信装置。
【請求項６】
前記物理層パイプ識別情報を含むプリアンブルを定期的に解釈する解釈部をさらに具備する
請求項１記載の受信装置。
【請求項７】
前記受信部は、ＡＴＳＣ（Advanced Television Systems Committee standards）３．０規格に準拠したフレームを受信し、
前記フレームは、前記所定数の物理層パイプが格納されたサブフレームと前記物理層パイプ識別情報が格納されたプリアンブルとを含む
請求項１記載の受信装置。
【請求項８】
物理層パイプ有無ビット列のビット数を越えない所定数の物理層パイプと前記所定数の物理層パイプのそれぞれの前記物理層パイプ識別情報とを受信する受信手順と、
物理層パイプ識別情報がそれぞれに割り当てられた複数のビットを物理層パイプ有無ビット列として保持する保持部に保持された前記物理層パイプ有無ビット列のうち前記受信された物理層パイプ識別情報に対応するビットの値を２値の一方に設定し、対応しないビットの値を前記２値の他方に設定する設定手順と、
前記一方の値のビットに対応する前記物理層パイプを復号する処理を行う復号処理手順と
を具備する受信装置の制御方法。
【発明の詳細な説明】
【技術分野】
【０００１】
本技術は、受信装置、および、受信装置の制御方法に関する。詳しくは、地上波デジタル放送を受信する受信装置、および、受信装置の制御方法に関する。
【背景技術】
【０００２】
近年、ＡＴＳＣ（Advanced Television Systems Committee standards）３．０規格を用いた次世代の地上波デジタル放送を受信するための受信装置の開発や研究が進められている。このＡＴＳＣ３．０規格では、ＯＦＤＭ（Orthogonal Frequency Division Multiplexing）フレームが送受信される。このＯＦＤＭフレームは、プリアンブルと最大２５６個のサブフレームとを含み、サブフレームのそれぞれはＰＬＰ(Physical Layer Pipe)と呼ばれるパケット系列を含む。１つのサブフレームには、最大で６４個のＰＬＰを格納することができ、格納したＰＬＰのそれぞれの識別情報やデータサイズなどが、プリアンブル内に格納される。この構成のＯＦＤＭフレームを効率的に処理するために、例えば、プリアンブルをデコードする制御回路と、そのデコード結果に従ってＰＬＰを復号する信号処理部とを設けた受信装置が提案されている（例えば、特許文献１参照。）。
【先行技術文献】
【特許文献】
【０００３】
【特許文献１】特開２０１１−１３５４５７号公報
【発明の概要】
【発明が解決しようとする課題】
【０００４】
上述の従来技術では、プリアンブルのデコードとＰＬＰの復号とを制御回路および信号処理部が並列に実行することができるため、それらを順に実行する構成と比較して処理速度を速くすることができる。しかしながら、信号処理部は、制御回路のデコード結果を用いて処理を行うため、制御回路と信号処理部との間に、そのデコード結果を保持する保持部（バッファなど）を配置する必要がある。そして、デコード結果を詳細な内容にするほど、デコード結果のデータサイズが大きくなり、大きなバッファサイズを要する。例えば、サブフレーム内のＰＬＰは、最大で６４（＝２６）個であるため、その識別情報には、６ビットが割り当てられる。このため、制御回路が、デコードによりＰＬＰの識別情報を取得して信号処理回路に渡す際には、保持部において６４×６ビットの容量を確保する必要がある。このように、上述の受信装置では、デコード結果に応じて保持部のサイズが大きくなってしまうという問題がある。
【０００５】
本技術はこのような状況に鑑みて生み出されたものであり、プリアンブルをデコードする受信装置において、デコード結果を保持する保持部のサイズを削減することを目的とする。
【課題を解決するための手段】
【０００６】
本技術は、上述の問題点を解消するためになされたものであり、その第１の側面は、物理層パイプ識別情報がそれぞれに割り当てられた複数のビットを物理層パイプ有無ビット列として保持する保持部と、上記物理層パイプ有無ビット列のビット数を越えない所定数の物理層パイプと上記所定数の物理層パイプのそれぞれの上記物理層パイプ識別情報とを受信する受信部と、上記物理層パイプ有無ビット列のうち上記受信された物理層パイプ識別情報に対応するビットの値を２値の一方に設定し、対応しないビットの値を上記２値の他方に設定する設定部と、上記一方の値のビットに対応する上記物理層パイプを復号する処理を行う復号処理部とを具備する受信装置、および、その制御方法である。これにより、受信した物理層パイプ識別情報をそのまま保持する場合は物理層パイプごとに物理層パイプ識別情報のサイズが必要であったのに対し、物理層パイプごとに１ビットのサイズで済み、保持部のサイズが削減されるという作用をもたらす。
【０００７】
また、この第１の側面において、上記受信部は、上記所定数の物理層パイプが格納されたサブフレームと上記物理層パイプ識別情報が格納されたプリアンブルとを受信し、上記物理層パイプ有無ビット列のビット数は、上記サブフレームに格納される上記物理層パイプの最大数であってもよい。これにより、物理層パイプの最大数に該当するビット数の物理層パイプ有無ビット列における一方の値のビットに対応する物理層パイプが復号されるという作用をもたらす。
【０００８】
また、この第１の側面において、上記保持部は、上記物理層パイプ識別情報がそれぞれに割り当てられた複数のビットをＬＬＳ（Low Level Signaling）有無ビット列としてさらに保持し、上記受信部は、上記所定数の物理層パイプのそれぞれのＬＬＳフラグをさらに受信し、上記設定部は、上記ＬＬＳ有無ビット列のうちＬＬＳ情報を含む上記物理層パイプの上記物理層パイプ識別情報に対応するビットの値を２値の一方に設定し、対応しないビットの値を上記２値の他方に設定し、上記復号処理部は、上記ＬＬＳ有無ビット列内の上記一方の値のビットに対応する上記物理層パイプからＬＬＳ情報を取得してもよい。これにより、ＬＬＳ情報が取得されるという作用をもたらす。
【０００９】
また、この第１の側面において、上記保持部は、上記物理層パイプ識別情報がそれぞれに割り当てられた複数のビットを結合有無ビット列としてさらに保持し、上記受信部は、上記所定数の物理層パイプの結合に関する情報をさらに受信し、上記設定部は、上記結合有無ビット列のうち結合する上記物理層パイプの上記物理層パイプ識別情報に対応するビットの値を２値の一方に設定し、対応しないビットの値を上記２値の他方に設定し、上記復号処理部は、上記結合有無ビット列内の上記一方の値のビットに対応する上記物理層パイプを結合してもよい。これにより、物理層パイプが結合されるという作用をもたらす。
【００１０】
また、この第１の側面において、上記保持部は、上記物理層パイプ識別情報がそれぞれに割り当てられた複数のビットを拡張有無ビット列としてさらに保持し、上記受信部は、ＬＤＭ（Layered Division Multiplexing）に関する情報をさらに受信し、上記設定部は、上記拡張有無ビット列のうち拡張物理層パイプの上記物理層パイプ識別情報に対応するビットの値を２値の一方に設定し、対応しないビットの値を上記２値の他方に設定し、上記復号処理部は、上記拡張有無ビット列に基づいてＬＤＭを使用して復号してもよい。これにより、ＬＤＭが使用されるという作用をもたらす。
【００１１】
また、この第１の側面において、上記物理層パイプ識別情報を含むプリアンブルを定期的に解釈する解釈部をさらに具備してもよい。これにより、プリアンブルが定期的に解釈されるという作用をもたらす。
【００１２】
また、この第１の側面において、上記受信部は、ＡＴＳＣ（Advanced Television Systems Committee standards）３．０規格に準拠したフレームを受信し、上記フレームは、上記所定数の物理層パイプが格納されたサブフレームと上記物理層パイプ識別情報が格納されたプリアンブルとを含むものであってもよい。これにより、ＡＴＳＣ３．０規格の物理層パイプが復号されるという作用をもたらす。
【発明の効果】
【００１３】
本技術によれば、プリアンブルをデコードする受信装置において、デコード結果を保持するバッファのサイズを削減することができるという優れた効果を奏し得る。なお、ここに記載された効果は必ずしも限定されるものではなく、本開示中に記載されたいずれかの効果であってもよい。
【図面の簡単な説明】
【００１４】
【図１】本技術の第１の実施の形態における受信装置の一構成例を示すブロック図である。
【図２】本技術の第１の実施の形態におけるＯＦＤＭフレームのデータ構造の一例を示す図である。
【図３】本技術の第１の実施の形態におけるＬ１−Ｄｅｔａｉｌ情報のデータ構造の一例を示す図である。
【図４】本技術の第１の実施の形態におけるＬ１−Ｄｅｔａｉｌ情報の構文の一例を示す図である。
【図５】本技術の第１の実施の形態におけるビット列バッファに保持されるデータの一例を示す図である。
【図６】本技術の第１の実施の形態におけるＰＬＰ有無ビット列およびＬＬＳ（Low Level Signaling）有無ビット列のデータ構造の一例を示す図である。
【図７】本技術の第１の実施の形態における主信号処理部の一構成例を示すブロック図である。
【図８】本技術の第１の実施の形態における受信装置の動作の一例を示すフローチャートである。
【図９】本技術の第２の実施の形態におけるビット列バッファに保持されるデータの一例を示す図である。
【図１０】本技術の第２の実施の形態における結合有無ビット列のデータ構造の一例を示す図である。
【図１１】本技術の第２の実施の形態におけるＰＬＰの結合関係を説明するための図である。
【図１２】本技術の第２の実施の形態におけるＰＬＰの結合関係に関する情報の格納場所の一例を示す図である。
【図１３】本技術の第３の実施の形態におけるビット列バッファに保持されるデータの一例を示す図である。
【図１４】本技術の第３の実施の形態における拡張有無ビット列のデータ構造の一例を示す図である。
【図１５】本技術の第３の実施の形態におけるＬＤＭ（Layered Division Multiplexing）の使用例を示す図である。
【図１６】本技術の第３の実施の形態におけるＬＤＭに関する情報の格納場所の一例を示す図である。
【図１７】本技術の第４および第１の実施の形態における受信装置の動作の一例を示すタイミングチャートである。
【発明を実施するための形態】
【００１５】
以下、本技術を実施するための形態（以下、実施の形態と称する）について説明する。説明は以下の順序により行う。
１．第１の実施の形態（ビット列に基づいてＰＬＰを復号する例）
２．第２の実施の形態（ビット列に基づいてＰＬＰを結合して復号する例）
３．第３の実施の形態（ビット列に基づいてＬＤＭを使用しつつ、ＰＬＰを復号する例）
４．第４の実施の形態（定期的にプリアンブルを解釈し、ビット列に基づいてＰＬＰを復号する例）
【００１６】
＜１．第１の実施の形態＞
［受信装置の構成例］
図１は、本技術の第１の実施の形態における受信装置１００の一構成例を示すブロック図である。この受信装置１００は、ＡＴＳＣ３．０規格に準拠した地上波デジタル放送を受信する装置であり、アンテナ１０１、高速処理部１１０および低速処理部１５０を備える。
【００１７】
アンテナ１０１は、ＯＦＤＭフレームが重畳された無線信号を受信するものである。なお、アンテナ１０１は、特許請求の範囲に記載の受信部の一例である。
【００１８】
高速処理部１１０は、ＩＣ（Integrated Circuit）回路などのハードウェアにより構成される。この高速処理部１１０は、主信号処理部１２０、Ｌ１（Layer 1）情報取得部１１１、Ｌ１情報解釈部１１２、設定部１１３、高速制御部１１４およびビット列バッファ１３０を備える。
【００１９】
低速処理部１５０は、ＣＰＵ（Central Processing Unit）などが実行するソフトウェアにより実現され、低速制御部１５１を備える。
【００２０】
主信号処理部１２０は、ＯＦＤＭフレームをバッファリングし、高速制御部１１４および低速制御部１５１の制御に従ってＯＦＤＭフレーム内のペイロードを復号する処理を行うものである。なお、主信号処理部１２０は、特許請求の範囲に記載の復号処理部の一例である。
【００２１】
Ｌ１情報取得部１１１は、ＯＦＤＭフレームからＬ１情報を取得するものである。このＬ１情報取得部１１１は、ブートストラップをデコードし、主信号処理部１２０内にバッファリングされたＯＦＤＭフレームからプリアンブルを読み出す。ＡＴＳＣ３．０規格において、プリアンブル内には、Ｌ１情報が格納され、このＬ１情報は、Ｌ１−Ｂａｓｉｃ情報とＬ１−Ｄｅｔａｉｌ情報とを含む。Ｌ１情報取得部１１１は、読み出したＬ１情報をＬ１情報解釈部１１２に供給する。
【００２２】
Ｌ１情報解釈部１１２は、Ｌ１情報を解釈するものである。Ｌ１情報の解釈は、ＯＦＤＭフレームを受信するたびに行われ、ＰＬＰの出力が停止した際は、停止の検知時にＬ１情報の解釈が実行される。なお、Ｌ１情報解釈部１１２は、特許請求の範囲に記載の解釈部の一例である。
【００２３】
ここで、Ｌ１情報内のＬ１−Ｄｅｔａｉｌ情報は、ＯＦＤＭフレーム内のサブフレームのそれぞれに関する情報が格納される。例えば、ＭＩＭＯ(Multiple-Input and Multiple-Output)の使用状況、ＦＦＴ（Fast Fourier Transform）サイズ、および、ガードインターバルの長さなどの情報がサブフレームごとに格納される。これらの情報を以下、「サブフレーム個別情報」と称し、残りの情報を「サブフレーム共通情報」と称する。
【００２４】
また、サブフレーム個別情報内には、サブフレーム内のＰＬＰのそれぞれに関する情報が格納される。例えば、ＰＬＰＩＤ(Physical Layer Pipe IDentification information)、ＬＬＳフラグおよびＰＬＰサイズなどの情報がＰＬＰごとに格納される。これらの情報を以下、「ＰＬＰ個別情報」と称し、サブフレーム個別情報内の残りの情報を「ＰＬＰ共通情報」と称する。
【００２５】
Ｌ１情報解釈部１１２は、サブフレーム個別情報をデコードするたびに、そのサブフレーム個別情報内のＰＬＰ個別情報のそれぞれを高速制御部１１４および設定部１１３に供給する。
【００２６】
高速制御部１１４は、ＰＬＰ個別情報に基づいて主信号処理部１２０を制御するものである。この高速制御部１１４は、ＰＬＰ個別情報をデコードし、ＰＬＰＩＤおよびＬＬＳフラグを除く、ＰＬＰの復号に必要な情報（ＰＬＰサイズなど）を取得し、主信号処理部１２０に供給してＰＬＰを復号させる。また、高速制御部１１４は、実行状況を低速制御部１５１およびＬ１情報解釈部１１２との間でやり取りする。
【００２７】
ビット列バッファ１３０は、所定のビット列を保持するものである。ビット列のデータ構造の詳細については後述する。なお、ビット列バッファ１３０は、特許請求の範囲に記載の保持部の一例である。
【００２８】
設定部１１３は、ＰＬＰ個別情報をデコードし、ＰＬＰＩＤおよびＬＬＳフラグを取得し、それらに基づいてビット列バッファ１３０内のビット列に値を設定するものである。設定方法の詳細については後述する。また、設定部１１３は、実行状況を低速制御部１５１との間でやりとりする。
【００２９】
低速制御部１５１は、ビット列バッファ１３０内のビット列に基づいて主信号処理部１２０を制御するものである。制御内容の詳細については後述する。
【００３０】
図２は、本技術の第１の実施の形態におけるＯＦＤＭフレームのデータ構造の一例を示す図である。ＯＦＤＭフレームは、ブートストラップ、プリアンブルおよびペイロードを含む。
【００３１】
ブートストラップには、バージョン、帯域幅やプリアンブルの構造が格納される。プリアンブルには、Ｌ１−Ｂａｓｉｃ情報およびＬ１−Ｄｅｔａｉｌ情報が格納される。
【００３２】
Ｌ１−Ｂａｓｉｃ情報には、パイロット信号の符号化方法などが格納される。Ｌ１−Ｄｅｔａｉｌ情報の詳細については後述する。
【００３３】
ペイロードには、最大で２５６個のサブフレームが格納される。また、サブフレームのそれぞれには、最大で６４個のＰＬＰが格納される。また、ＰＬＰには、コンテンツのデータやＬＬＳ情報を格納することができる。ただし、ＬＬＳ情報は、全てのＰＬＰに格納されるとは限らない。Ｌ１−Ｄｅｔａｉｌ情報内には、対応するＰＬＰがＬＬＳ情報を含むか否かを示すＬＬＳフラグが格納される。
【００３４】
ＬＬＳ情報は、物理層よりも上位の層（トランスポート層やアプリケーション層など）の情報であり、例えば、ストリームに対応するチャネルを示すチャネル情報を含む。
【００３５】
図３は、本技術の第１の実施の形態におけるＬ１−Ｄｅｔａｉｌ情報のデータ構造の一例を示す図である。Ｌ１−Ｄｅｔａｉｌ情報は、サブフレーム共通情報と、最大２５６個のサブフレーム個別情報とを含む。
【００３６】
また、サブフレーム個別情報のそれぞれは、ＰＬＰ共通情報と、最大６４個のＰＬＰ個別情報とを含む。
【００３７】
ＰＬＰ共通情報には、「L1D_version」や、サブフレーム内のＰＬＰ数を示す「L1D_num_plp」が格納される。ＰＬＰ個別情報には、ＰＬＰＩＤを示す「L1D_plp_id」や、ＬＬＳフラグを示す「L1D_plp_lls_flag」が格納される。ＰＬＰＩＤには６ビットが割り当てられ、ＬＬＳフラグには１ビットが割り当てられる。
【００３８】
図４は、本技術の第１の実施の形態におけるＬ１−Ｄｅｔａｉｌ情報の構文の一例を示す図である。この構文は、「ATSC Standard:Physical Layer Protocol Doc. A/322:2017"、Advanced Television Systems Committee、インターネット（https://www.atsc.org
/standards/atsc-3-0-standards/）」に記載されている。
【００３９】
Ｌ１−Ｄｅｔａｉｌ情報には、先頭から順に、「L1D_version」や、「L1D_num_rf」が格納される。「L1D_version」は、現在フレームに関して使用されるＬ１−Ｄｅｔａｉｌシグナリング構造のバージョンである。「L1D_num_rf」は、現在のチャネルの周波数に含まれない、チャネルボンディングに関与する周波数の数である。
【００４０】
また、「for (i=0 .. L1B_num_subframes) {・・・}」は、波括弧内のデータが、サブフレームの個数（最大２５６個）の分だけ格納されることを意味する。このｆｏｒ構文の外部の部分がサブフレーム共通情報に該当する。また、そのｆｏｒ構文の波括弧内のデータは、サブフレーム個別情報に該当する。
【００４１】
サブフレーム個別情報内において、「for (j=0 .. L1D_num_plp) {・・・}」は、波括弧内のデータが、ＰＬＰの個数（最大６４個）の分だけ格納されることを意味する。このｆｏｒ構文の直前までがＰＬＰ共通情報に該当する。また、そのｆｏｒ構文の波括弧内のデータは、ＰＬＰ個別情報に該当する。
【００４２】
ＰＬＰ個別情報内の「L1D_plp_id」フィールドの６ビットは、ＰＬＰＩＤを表し、「L1D_plp_lls_flag」フィールドの１ビットは、ＬＬＳフラグを表す。点線３０１に示す、これらの７ビットが設定部１１３によりＰＬＰごとに読み出される。
【００４３】
図５は、本技術の第１の実施の形態におけるビット列バッファ１３０に保持されるデータの一例を示す図である。ビット列バッファ１３０には、ＰＬＰ有無ビット列１３１およびＬＬＳ有無ビット列１３２が保持される。
【００４４】
図６は、本技術の第１の実施の形態におけるＰＬＰ有無ビット列１３１およびＬＬＳ有無ビット列１３２のデータ構造の一例を示す図である。同図におけるａは、ＰＬＰ有無ビット列１３１のデータ構造の一例を示す図であり、同図におけるｂは、ＬＬＳ有無ビット列１３２のデータ構造の一例を示す図である。
【００４５】
ＰＬＰ有無ビット列１３１は、互いに異なるＰＬＰＩＤが割り当てられた複数のビットを配列したものである。例えば、ＡＴＳＣ３．０規格では、サブフレームごとに最大６４個のＰＬＰが格納されるため、ＰＬＰ有無ビット列１３１のサイズは６４ビットである。ＰＬＰ有無ビット列１３１のｎ（ｎは０乃至６３の整数）ビット目には、「ｎ」のＰＬＰＩＤが割り当てられる。それぞれのビットは、対応するＰＬＰＩＤのＰＬＰがサブフレーム内に存在するか否かを示す。
【００４６】
設定部１１３は、受信されたＬ１情報をデコードしてサブフレーム内のＰＬＰごとに６ビットのＰＬＰＩＤを取得する。そして、設定部１１３は、ＰＬＰ有無ビット列１３１において、取得したＰＬＰＩＤに対応するビットを２値の一方（「１」など）に設定し、対応しないビットを２値の他方（「０」など）に設定する。例えば、設定部１１３は、サブフレーム個別情報のデコード開始時にＰＬＰ有無ビット列１３１の全ビットを「０」に初期化し、取得したＰＬＰＩＤに対応するビットを「１」に更新することにより設定を行う。
【００４７】
また、ＬＬＳ有無ビット列１３２は、互いに異なるＰＬＰＩＤが割り当てられた複数のビットを配列したものである。サブフレームごとに最大６４個のＰＬＰが格納されるため、ＬＬＳ有無ビット列１３２のサイズも６４ビットである。ＬＬＳ有無ビット列１３２のｎビット目には、「ｎ」のＰＬＰＩＤが割り当てられる。それぞれのビットは、対応するＰＬＰＩＤのＰＬＰにＬＬＳ情報が含まれるか否かを示す。
【００４８】
設定部１１３は、受信されたＬ１情報をデコードしてサブフレーム内のＰＬＰごとに１ビットのＬＬＳフラグを取得する。このＬＬＳフラグは、対応するＰＬＰがＬＬＳ情報を含むか否かを示す。そして、設定部１１３は、ＬＬＳ有無ビット列１３２において、ＬＬＳ情報を含むＰＬＰのＰＬＰＩＤに対応するビットを２値の一方（論理値「１」など）に設定し、それ以外のビットを２値の他方（論理値「０」など）に設定する。例えば、設定部１１３は、サブフレーム個別情報のデコード開始時にＬＬＳ有無ビット列１３２の全ビットを「０」に初期化し、ＬＬＳ情報を含むＰＬＰに対応するビットを「１」に更新することにより設定を行う。
【００４９】
[主信号処理部の構成例]
図７は、本技術の第１の実施の形態における主信号処理部１２０の一構成例を示すブロック図である。この主信号処理部１２０は、ＯＦＤＭフレームバッファ１２１および復号回路１２２を備える。
【００５０】
ＯＦＤＭフレームバッファ１２１は、ＯＦＤＭフレームを保持するものである。復号回路１２２は、ＯＦＤＭフレーム内のＰＬＰを復号するものである。
【００５１】
低速制御部１５１は、ビット列バッファ１３０内のＰＬＰ有無ビット列１３１を参照し、先頭ビットから順にビットの値が論理値「１」であるか否かを判断する。論理値「１」であれば、低速制御部１５１は、復号指示信号を復号回路１２２に送信する。
【００５２】
復号回路１２２は、復号指示信号を受信するたびに、高速制御部１１４からの情報（符号化方式やＰＬＰサイズなど）を用いて、サブフレーム内のＰＬＰを物理層レベルで復号する。
【００５３】
また、低速制御部１５１は、ビット列バッファ１３０内のＬＬＳ有無ビット列１３２を参照し、先頭ビットから順にビットの値が論理値「１」であるか否かを判断する。論理値「１」であれば、低速制御部１５１は、ＬＬＳ取得指示信号を復号回路１２２に送信する。
【００５４】
復号回路１２２は、ＬＬＳ取得指示信号を受信すると、復号したＰＬＰにおいて、物理層より上位の層（Ｌ２やＬ３）からＬＬＳ情報を取り出す。例えば、Ｌ２の情報を取り出す際に復号回路１２２は、ＰＬＰの復号データ内のＬ２ヘッダをデコードして、Ｌ２のペイロードの構造を取得する。また、Ｌ３の情報を取り出す際に復号回路１２２は、Ｌ２のペイロード内のＬ３ヘッダをデコードして、Ｌ３のペイロードの構造を取得する。復号回路１２２は、取得したＬＬＳ情報を外部に出力する。
【００５５】
ここで、設定部１１３を配置せず、高速制御部１１４がＰＬＰＩＤおよびＬＬＳフラグを示す７ビットをバッファに保持する比較例を想定する。この比較例では、サブフレームごとのＰＬＰ数が最大で６４個であるため、６４×７ビットの容量をバッファに確保する必要がある。
【００５６】
これに対して、受信装置１００では、設定部１１３がＰＬＰ有無ビット列１３１およびＬＬＳ有無ビット列１３２を設定するため、比較例と比較して、ビット列バッファ１３０の容量を６４×２ビットに削減することができる。また、高速処理部１１０と低速処理部１５０との間のインターフェースの通信量を削減することができる。
【００５７】
[受信装置の動作例]
図８は、本技術の第１の実施の形態における受信装置１００の動作の一例を示すフローチャートである。この動作は、例えば、ＯＦＤＭフレームを受信するためのアプリケーションが実行されたときに開始される。
【００５８】
受信装置１００は、Ｌ１情報を取得し（ステップＳ９０１）、Ｌ１情報を解釈する（ステップＳ９０２）。また、受信装置１００内の設定部１１３は、ＰＬＰＩＤおよびＬＬＳフラグに基づいてＰＬＰ有無ビット列およびＬＬＳ有無ビット列の値を設定する（ステップＳ９０３）。
【００５９】
受信装置１００内の低速制御部１５１は、シフト量を示す変数を「０」に初期化する（ステップＳ９０４）。そして、低速制御部１５１は、ＰＬＰ有無ビット列およびＬＬＳ有無ビット列のそれぞれの先頭ビットからシフト量だけシフトした位置のビットを読み出す（ステップＳ９０５）。低速制御部１５１は、ＰＬＰ有無ビット列のシフト位置のビットが論理値「１」であるか否かを判断する（ステップＳ９０６）。
【００６０】
シフト位置のビットが論理値「１」である場合（ステップＳ９０６：Ｙｅｓ）、低速制御部１５１は、ＬＬＳ有無ビット列のシフト位置のビットが論理値「１」であるか否かを判断する（ステップＳ９０７）。
【００６１】
シフト位置のビットが論理値「１」である場合（ステップＳ９０７：Ｙｅｓ）、低速制御部１５１は、ＬＬＳ情報の取得を主信号処理部１２０に指示し、主信号処理部１２０は、対応するＰＬＰからＬＬＳ情報を取得する（ステップＳ９０８）。低速制御部１５１は、シフト量が「６３」であるか否かを判断する（ステップＳ９０９）。
【００６２】
ＰＬＰ有無ビット列のシフト位置のビットが論理値「１」でない場合（ステップＳ９０６：Ｎｏ）、または、ＬＬＳ有無ビット列のシフト位置のビットが論理値「１」でない場合（ステップＳ９０７：Ｎｏ）もステップＳ９０９が実行される。
【００６３】
シフト量が「６３」である場合に（ステップＳ９０９：Ｙｅｓ）、受信装置１００は、残りのサブフレームについて同様の処理を実行し、ＯＦＤＭフレームの受信処理を終了する。
【００６４】
一方、シフト量が「６３」でない場合に（ステップＳ９０９：Ｎｏ）、低速制御部１５１は、シフト量をインクリメントしてステップＳ９０５以降を繰り返す。
【００６５】
このように、本技術の第１の実施の形態では、ビット列バッファ１３０が、ＰＩＬＩＤが各ビットに割り当てられたＰＬＰ有無ビット列を保持し、設定部１１３は、そのＰＬＰ有無ビット列において受信したＰＬＰＩＤに対応するビットを「１」に設定する。このため、受信したＰＬＰのＰＬＰＩＤをそのまま保持する場合はＰＬＰごとにＰＬＰＩＤのサイズが必要であったのに対し、ＰＬＰ有無ビット列ではＰＬＰごとに１ビットのサイズで済み、バッファサイズを削減することができる。
【００６６】
＜２．第２の実施の形態＞
上述の第１の実施の形態では、受信装置１００は、ＰＬＰを結合せずにＰＬＰごとに復号していたが、ＰＬＰを結合しない構成では、周波数帯域の使用効率を最大限に活用できないことがある。この第２の実施の形態の受信装置は、異なる周波数帯域（言い換えれば、チャネル）に属するＰＬＰ同士を結合する点において第１の実施の形態と異なる。
【００６７】
図９は、本技術の第２の実施の形態におけるビット列バッファ１３０に保持されるデータの一例を示す図である。この第２の実施の形態のビット列バッファ１３０には、結合有無ビット列１３３がさらに保持される。
【００６８】
図１０は、本技術の第２の実施の形態における結合有無ビット列１３３のデータ構造の一例を示す図である。
【００６９】
結合有無ビット列１３３は、互いに異なるＰＬＰＩＤが割り当てられた複数のビットを配列したものである。例えば、ＡＴＳＣ３．０規格では、サブフレームごとに最大６４個のＰＬＰが格納されるため、結合有無ビット列１３３のサイズは６４ビットである。結合有無ビット列１３３のｎビット目には、「ｎ」のＰＬＰＩＤが割り当てられる。それぞれのビットは、対応するＰＬＰＩＤのＰＬＰが他のＰＬＰと結合されるか否かを示す。
【００７０】
設定部１１３は、受信されたＬ１情報をデコードしてサブフレーム内のＰＬＰごとにＰＬＰの結合に関する情報を取得する。そして、設定部１１３は、結合有無ビット列１３３において、結合するＰＬＰのＰＬＰＩＤに対応するビットを２値の一方（「１」など）に設定し、対応しないビットを２値の他方（「０」など）に設定する。
【００７１】
低速制御部１５１は、結合有無ビット列１３３を参照し、先頭ビットから順にビットの値が論理値「１」であるか否かを判断する。論理値「１」であれば、低速制御部１５１は、結合指示信号を復号回路１２２に供給する。
【００７２】
復号回路１２２は、結合指示信号に従って、複数のＰＬＰを結合して１つの符号語とし、その符号語を高速制御部１１４からの情報（符号化方式やＰＬＰサイズなど）を用いて復号する。これにより、復号回路１２２は、結合しない場合よりも多くの符号語を復号することができる。
【００７３】
図１１は、本技術の第２の実施の形態におけるＰＬＰの結合関係を説明するための図である。ＡＴＳＣ３．０規格では、異なる周波数帯域に属するＰＬＰ同士を結合することができる。例えば、周波数帯域ＲＦ１におけるＰＬＰＩＤが「１」のＰＬＰと、周波数帯域ＲＦ２におけるＰＬＰＩＤが「１０」のＰＬＰとを結合することができる。
【００７４】
図１２は、本技術の第２の実施の形態におけるＰＬＰの結合関係に関する情報の格納場所の一例を示す図である。Ｌ１−Ｄｅｔａｉｌ情報において、「for (j=0 .. L1D_num_plp) {・・・}」内に、点線３０２に示すように、「L1D_plp_num_channel_bonded」のフィールドが設けられる。このフィールドには、ＰＬＰの結合に関する３ビットの情報が格納される。例えば、対応するＰＬＰが、他のチャネルのＰＬＰと結合されない場合には、「L1D_plp_num_channel_bonded」のフィールドに「０」が設定される。一方、結合される場合には、そのフィールドに「１」以上の値が設定される。
【００７５】
「L1D_plp_num_channel_bonded」のフィールドは３ビットであるため、その３ビットをＰＬＰごとにそのままビット列バッファ１３０に保持させる場合、６４×３ビットの容量を確保する必要がある。これに対して、第２の実施の形態の設定部１１３は、結合有無ビット列１３３を設定するため、結合に関する情報を保持する容量を６４ビットに削減することができる。また、高速処理部１１０と低速処理部１５０との間のインターフェースの通信量を削減することができる。
【００７６】
なお、ビット列バッファ１３０に、ＬＬＳ有無ビット列１３２および結合有無ビット列１３３の両方を保持させているが、この構成に限定されない。例えば、ＬＬＳ情報の取得が不要である場合には、ＬＬＳ有無ビット列１３２を保持させない構成であってもよい。
【００７７】
このように、本技術の第２の実施の形態によれば、受信装置１００は、異なるチャネルのＰＬＰ同士を結合して復号するため、周波数帯域の使用効率を最大限に活用することができる。
【００７８】
＜３．第３の実施の形態＞
上述の第２の実施の形態では、受信装置１００は、ＬＤＭを使用していなかったが、ＬＤＭにより、伝送効率の向上が見込まれる。この第３の実施の形態の受信装置は、ＬＤＭを使用する点において第２の実施の形態と異なる。
【００７９】
図１３は、本技術の第３の実施の形態におけるビット列バッファ１３０に保持されるデータの一例を示す図である。この第３の実施の形態のビット列バッファ１３０には、拡張有無ビット列１３４がさらに保持される。
【００８０】
図１４は、本技術の第３の実施の形態における拡張有無ビット列１３４のデータ構造の一例を示す図である。
【００８１】
拡張有無ビット列１３４は、互いに異なるＰＬＰＩＤが割り当てられた複数のビットを配列したものである。例えば、ＡＴＳＣ３．０規格では、サブフレームごとに最大６４個のＰＬＰが格納されるため、拡張有無ビット列１３４のサイズは６４ビットである。拡張有無ビット列１３４のｎビット目には、「ｎ」のＰＬＰＩＤが割り当てられる。それぞれのビットは、対応するＰＬＰＩＤのＰＬＰが拡張ＰＬＰおよびコアＰＬＰのいずれであるかを示す。
【００８２】
ここで、ＡＴＳＣ３．０では、ＬＤＭを使用する場合、サブフレーム内のＰＬＰは、コアＰＬＰと拡張ＰＬＰとに分類される。また、物理層はコアレイヤと拡張レイヤとに分割多重化される。コアＰＬＰは、コアレイヤに属し、拡張ＰＬＰは拡張レイヤに属する。ＬＤＭを使用する場合、１つまたは複数の拡張レイヤが存在しなければならない。一方、ＬＤＭを使用しない場合、拡張レイヤは存在しないものとされる。コアＰＬＰは、１つ以上の拡張ＰＬＰと対応付けられ、コアＰＬＰと対応する拡張ＰＬＰとは、１つの時間インターリーブグループに属する。すなわち、コアＰＬＰと拡張ＰＬＰとがまとめて送信側で時間インターリーバによりインターリーブされ、送信される。これにより、ＬＤＭを使用しない場合と比較して伝送効率の向上が見込まれる。
【００８３】
設定部１１３は、受信されたＬ１情報をデコードしてサブフレーム内のＰＬＰごとＬＤＭに関する情報を取得する。そして、設定部１１３は、拡張有無ビット列１３４において、拡張ＰＬＰのＰＬＰＩＤに対応するビットを２値の一方（「１」など）に設定し、対応しないビットを２値の他方（「０」など）に設定する。
【００８４】
低速制御部１５１は、拡張有無ビット列１３４を参照し、先頭ビットから順にビットの値が論理値「１」であるか否かを判断する。論理値「１」であれば、低速制御部１５１は、拡張指定信号を復号回路１２２に供給する。
【００８５】
復号回路１２２は、拡張指定信号に従ってＬＤＭを使用し、コアＰＬＰおよび拡張ＰＬＰをまとめてデインターリーブする。
【００８６】
図１５は、本技術の第３の実施の形態におけるＬＤＭの使用例を示す図である。ＰＬＰＩＤが「０」のＰＬＰは、コアレイヤに属するコアＰＬＰである。一方、ＰＬＰＩＤが「２」のＰＬＰは、拡張レイヤに属する拡張レイヤである。これらのＰＬＰは、１つの時間インターリーブのグループに属する。
【００８７】
図１６は、本技術の第３の実施の形態におけるＬＤＭに関する情報の格納場所の一例を示す図である。Ｌ１−Ｄｅｔａｉｌ情報において、「for (j=0 .. L1D_num_plp) {・・・}」内に、点線３０３に示すように、「L1D_plp_layer」のフィールドが設けられる。このフィールドには、ＬＤＭに関する２ビットの情報が格納される。例えば、対応するＰＬＰが、コアレイヤに属するコアＰＬＰである場合には、「L1D_plp_layer」のフィールドに「０」が設定される。一方、拡張レイヤに属する拡張ＰＬＰである場合には、「L1D_plp_layer」のフィールドに「１」以上の値が設定される。
【００８８】
「L1D_plp_layer」のフィールドは２ビットであるため、その２ビットをＰＬＰごとにそのままビット列バッファ１３０に保持させる場合、６４×２ビットの容量を確保する必要がある。これに対して、第３の実施の形態の設定部１１３は、拡張有無ビット列１３４を設定するため、ＬＤＭに関する情報を保持する容量を６４ビットに削減することができる。また、高速処理部１１０と低速処理部１５０との間のインターフェースの通信量を削減することができる。
【００８９】
なお、受信装置１００は、ビット列バッファ１３０に、ＬＬＳ有無ビット列１３２、結合有無ビット列１３３および拡張有無ビット列１３４を保持させているが、この構成に限定されない。例えば、ＬＬＳ情報の取得が不要である場合には、ＬＬＳ有無ビット列１３２を保持させない構成であってもよい。また、結合するＰＬＰが存在しない場合には、結合有無ビット列１３３を保持させない構成であってもよい。
【００９０】
このように、本技術の第３の実施の形態によれば、受信装置は、ＬＤＭを使用するため、ＬＤＭを使用しない場合より伝送効率の向上が見込まれる。
【００９１】
＜４．第４の実施の形態＞
上述の第１の実施の形態では、受信装置１００は、ＰＬＰの出力が停止した際に、その停止の検知時にＬ１情報の解釈を開始していたが、この構成では、ＰＬＰの出力停止から復帰までの時間が長くなるおそれがある。この第４の実施の形態の受信装置１００は、定期的にＬ１情報を解釈することにより、復帰までの時間を短縮する点において第１の実施の形態と異なる。
【００９２】
図１７は、本技術の第４および第１の実施の形態における受信装置１００の動作の一例を示すタイミングチャートである。同図におけるａは、第４の実施の形態における受信装置１００の動作の一例を示すタイミングチャートである。同図におけるｂは、第１の実施の形態における受信装置１００の動作の一例を示すタイミングチャートである
【００９３】
第４の実施の形態のＬ１情報解釈部１１２は、プリアンブル内のＬ１情報を定期的に解釈する。例えば、タイミングＴ０、Ｔ２やＴ５においてＬ１情報の解釈が開始される。
【００９４】
タイミングＴ０の後のタイミングＴ１までの期間に亘って、主信号処理部１２０は、例えば、ＰＬＰの出力を行い、タイミングＴ１において、何らかの理由により出力が中断したものとする。
【００９５】
出力の停止の検知には、一定時間を要し、例えば、Ｌ１情報の解釈が終了したタイミングＴ２の後のタイミングＴ３において出力停止が検知されたものとする。Ｌ１情報の解釈が終了しているため、直ちに主信号処理部１２０は復号を再開し、タイミングＴ４において復帰することができる。
【００９６】
これに対して、第１の実施の形態のＬ１情報解釈部１１２は、タイミングＴ３で停止を検知するとＬ１情報の解釈を開始し、解釈が終了したタイミングＴ４において主信号処理部１２０は復号を再開し、タイミングＴ５において復帰することができる。
【００９７】
上述の第４の実施の形態のようにＬ１情報の解釈を定期的に行うことにより、ＰＬＰの出力停止の検知時にＬ１情報の解釈が終了しているケースなどにおいて、復帰までの時間を短縮化することができる。
【００９８】
なお、第４の実施の形態において、第２の実施の形態や、第３の実施の形態の構成を適用することもできる。
【００９９】
このように、本技術の第４の実施の形態によれば、受信装置１００は、Ｌ１情報を定期的に解釈しているため、ＰＬＰの出力が停止してから復帰するまでの時間を短くすることができる。
【０１００】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１０１】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１０２】
なお、本明細書に記載された効果はあくまで例示であって、限定されるものではなく、また、他の効果があってもよい。
【０１０３】
なお、本技術は以下のような構成もとることができる。
（１）物理層パイプ識別情報がそれぞれに割り当てられた複数のビットを物理層パイプ有無ビット列として保持する保持部と、
前記物理層パイプ有無ビット列のビット数を越えない所定数の物理層パイプと前記所定数の物理層パイプのそれぞれの前記物理層パイプ識別情報とを受信する受信部と、
前記物理層パイプ有無ビット列のうち前記受信された物理層パイプ識別情報に対応するビットの値を２値の一方に設定し、対応しないビットの値を前記２値の他方に設定する設定部と、
前記一方の値のビットに対応する前記物理層パイプを復号する処理を行う復号処理部と
を具備する受信装置。
（２）前記受信部は、前記所定数の物理層パイプが格納されたサブフレームと前記物理層パイプ識別情報が格納されたプリアンブルとを受信し、
前記物理層パイプ有無ビット列のビット数は、前記サブフレームに格納される前記物理層パイプの最大数である
前記（１）記載の受信装置。
（３）前記保持部は、前記物理層パイプ識別情報がそれぞれに割り当てられた複数のビットをＬＬＳ（Low Level Signaling）有無ビット列としてさらに保持し、
前記受信部は、前記所定数の物理層パイプのそれぞれのＬＬＳフラグをさらに受信し、
前記設定部は、前記ＬＬＳ有無ビット列のうちＬＬＳ情報を含む前記物理層パイプの前記物理層パイプ識別情報に対応するビットの値を２値の一方に設定し、対応しないビットの値を前記２値の他方に設定し、
前記復号処理部は、前記ＬＬＳ有無ビット列内の前記一方の値のビットに対応する前記物理層パイプからＬＬＳ情報を取得する
前記（１）または（２）に記載の受信装置。
（４）前記保持部は、前記物理層パイプ識別情報がそれぞれに割り当てられた複数のビットを結合有無ビット列としてさらに保持し、
前記受信部は、前記所定数の物理層パイプの結合に関する情報をさらに受信し、
前記設定部は、前記結合有無ビット列のうち結合する前記物理層パイプの前記物理層パイプ識別情報に対応するビットの値を２値の一方に設定し、対応しないビットの値を前記２値の他方に設定し、
前記復号処理部は、前記結合有無ビット列内の前記一方の値のビットに対応する前記物理層パイプを結合する
前記（１）から（３）のいずれかに記載の受信装置。
（５）前記保持部は、前記物理層パイプ識別情報がそれぞれに割り当てられた複数のビットを拡張有無ビット列としてさらに保持し、
前記受信部は、ＬＤＭ（Layered Division Multiplexing）に関する情報をさらに受信し、
前記設定部は、前記拡張有無ビット列のうち拡張物理層パイプの前記物理層パイプ識別情報に対応するビットの値を２値の一方に設定し、対応しないビットの値を前記２値の他方に設定し、
前記復号処理部は、前記拡張有無ビット列に基づいてＬＤＭを使用して復号する
前記（１）から（４）のいずれかに記載の受信装置。
（６）前記物理層パイプ識別情報を含むプリアンブルを定期的に解釈する解釈部をさらに具備する
前記（１）から（５）のいずれかに記載の受信装置。
（７）前記受信部は、ＡＴＳＣ（Advanced Television Systems Committee standards）３．０規格に準拠したフレームを受信し、
前記フレームは、前記所定数の物理層パイプが格納されたサブフレームと前記物理層パイプ識別情報が格納されたプリアンブルとを含む
前記（１）から（６）のいずれかに記載の受信装置。
（８）物理層パイプ有無ビット列のビット数を越えない所定数の物理層パイプと前記所定数の物理層パイプのそれぞれの前記物理層パイプ識別情報とを受信する受信手順と、
物理層パイプ識別情報がそれぞれに割り当てられた複数のビットを物理層パイプ有無ビット列として保持する保持部に保持された前記物理層パイプ有無ビット列のうち前記受信された物理層パイプ識別情報に対応するビットの値を２値の一方に設定し、対応しないビットの値を前記２値の他方に設定する設定手順と、
前記一方の値のビットに対応する前記物理層パイプを復号する処理を行う復号処理手順と
を具備する受信装置の制御方法。
【符号の説明】
【０１０４】
１００  受信装置
１０１  アンテナ
１１０  高速処理部
１１１  Ｌ１情報取得部
１１２  Ｌ１情報解釈部
１１３  設定部
１１４  高速制御部
１２０  主信号処理部
１２１  ＯＦＤＭフレームバッファ
１２２  復号回路
１３０  ビット列バッファ
１３１  ＰＬＰ有無ビット列
１３２  ＬＬＳ有無ビット列
１３３  結合有無ビット列
１３４  拡張有無ビット列
１５０  低速処理部
１５１  低速制御部
【図１】
2019216325.tif 000002
【図２】
2019216325.tif 000003
【図３】
2019216325.tif 000004
【図４】
2019216325.tif 000005
【図５】
2019216325.tif 000006
【図６】
2019216325.tif 000007
【図７】
2019216325.tif 000008
【図８】
2019216325.tif 000009
【図９】
2019216325.tif 000010
【図１０】
2019216325.tif 000011
【図１１】
2019216325.tif 000012
【図１２】
2019216325.tif 000013
【図１３】
2019216325.tif 000014
【図１４】
2019216325.tif 000015
【図１５】
2019216325.tif 000016
【図１６】
2019216325.tif 000017
【図１７】
2019216325.tif 000018